(57)【特許請求の範囲】
【請求項１】
測定装置の構成部品を取り付けるための測定装置用架台であって、
平面形状が四角形の底部と、平面形状が四角形またはコ字形の天部と、前記底部の角部と前記天部の角部との間に垂直に配設された４本の支柱とを備えた架台本体と、
前記測定装置の構成部品を取り付ける平板状の部品取付部材と、
前記部品取付部材を1本または２本の前記支柱の任意の箇所に着脱可能に固定する固定部材と
を具備することを特徴とする測定装置用架台。
【請求項２】
前記部品取付部材は、前記架台本体の内側に前記構成部品を取り付けることができることを特徴とする請求項１に記載の測定装置用架台。
【請求項３】
前記測定装置は、分析部、記録計、電源箱および外部端子板を有する微小粒子状物質測定装置であり、前記部品取付部材として、複数の部品取付部材を有し、各部品取付部材に、前記記録計、電源箱および外部端子板をそれぞれ取り付けることを特徴とする請求項１または２に記載の測定装置用架台。
【発明の詳細な説明】
【技術分野】
【０００１】
本発明は、測定装置を作製する際に測定装置の構成部品を取り付けるための測定装置用架台に関し、さらに詳述すると、測定装置の構成部品を任意の高さ・位置に取り付けることができる測定装置用架台に関する。
【背景技術】
【０００２】
従来、環境大気測定局の局舎（測定局舎）内に設置するための屋内設置型微小粒子状物質（ＰＭ２．５：Particulate Matter 2.5）測定装置として、図５、図６のものが知られている（例えば、非特許文献１参照）。図５は上記測定装置の概略正面図、図６は上記測定装置の概略側面図である。
【０００３】
なお、ＰＭ２．５とは、粒子径が２．５μｍ以下の浮遊粉塵のことである。また、大気中の粒子状物質測定装置としては、上述したＰＭ２．５の測定装置の他、浮遊粒子状物質（ＳＰＭ：Suspended Particulate Matter）測定装置がある。ＳＰＭとは、粒子径が１０μｍ以下の浮遊粉塵である。
【０００４】
図５、図６において、１０は、測定装置の構成部品を取り付けるための測定装置用架台を示す。この架台１０は、底部に配置された四角形状の２段式箱形ラック１２と、四角形状の天部１４と、箱形ラック１２の角部と天部１４の角部との間に垂直に配設された４本の支柱１６とからなる架台本体１８を具備する。底部の箱形ラック１２の下側には大気吸引用のポンプユニット２０、上側には記録計２２、電源箱２４、外部端子板２６がそれぞれ配置されている。また、架台本体１８の上部には、四角形状の箱形ラック２８が固定され、この箱形ラック２８に分析部３０が配置されている。
【０００５】
分析部３０には、試料採取機構３２が連結されている。試料採取機構３２は、試料採取管３４、試料大気入口３６、ＰＭ１０（ＳＰＭ）インレット３８、ドレントラップ４０、温度計４２、ＰＭ２．５分粒器４４を備え、分析部３０に接続されている。
【０００６】
本例の測定装置は、通常、測定局舎の床面に架台１０の下部を固定し、測定局舎の天井４９に架台１０の上部を固定するとともに、屋根４８の上面に屋根土台４６を固定して使用される。この場合、ＰＭ２．５分粒器４４と分析部３０との間の距離は、「環境大気常時監視マニュアル  第６版」（平成２２年３月  環境省  水・大気環境局）によって１．５ｍ未満とするように定められている。
【０００７】
また、本例の測定装置は、試料採取機構３２で採取した試料大気中の浮遊粉塵のうちのＰＭ２．５を分析部３０に導入し、ベータ線吸収方式によってＰＭ２．５の測定を行うものである。ベータ線吸収方式は、低いエネルギーのベータ線を物質に照射した場合、その物質の質量に比例してベータ線の吸収量が増加することを利用した測定方式である。具体的には、ろ紙上に捕集したＰＭ２．５にベータ線を照射し、透過ベータ線強度を測定することによって、ＰＭ２．５の質量を測定する。
【先行技術文献】
【特許文献】
【０００８】
【非特許文献１】東亜ディーケーケー株式会社の「微小粒子状物質（ＰＭ２．５）測定装置」のカタログ（http://www.toadkk.co.jp/product/env/ap/i36ghb000000098o-att/fpm377.pdf?1）
【発明の概要】
【発明が解決しようとする課題】
【０００９】
図５、図６に示した測定装置は、前述のように、ＰＭ２．５分粒器４４と分析部３０との間の距離を１．５ｍ未満にしているため、測定局舎の天井４９が高い場合には、分析部３０の位置が高くなるとともに、分析部３０とその他の構成部品（具体的には記録計２２、電源箱２４、外部端子板２６）との間の距離が大きくなり、使い勝手が悪くなるという問題があった。これは、架台本体１８の下部に固定されて位置を変えることができない１つの箱形ラック１２に、記録計２２、電源箱２４および外部端子板２６が一体的に組み込まれ、装置を安定させるために土台を兼ねているからであった。
【００１０】
また、図５、図６に示した測定装置は、電源箱２４および外部端子板２６の位置を変更することができないため、測定局舎における測定装置設置状況に合わせて電源箱２４および外部端子板２６の取付位置を設計変更する必要があった。例えば、測定装置を測定局舎の壁に寄せて設置する場合、通常は寄せたい壁と反対側に電源箱２４、外部端子板２６を配置するが、上述のように電源箱２４および外部端子板２６の位置を測定装置設置時に変更することができないため、装置を発注する段階から、予め測定局舎に合わせて電源箱２４および外部端子板２６の取付位置を検討し、設計に反映する必要があった。すなわち、設置場所の状況が、発注時とは異なっていたり、発注ミスがあったりすると、現場では対応できないという問題があった。
【００１１】
本発明は、上述した事情に鑑みてなされたもので、測定装置の構成部品を任意の高さ・位置に取り付けることができる測定装置用架台を提供することを目的とする。
【課題を解決するための手段】
【００１２】
本発明は、上記目的を達成するため、測定装置の構成部品を取り付けるための測定装置用架台であって、
平面形状が四角形の底部と、平面形状が四角形またはコ字形の天部と、前記底部の角部と前記天部の角部との間に垂直に配設された４本の支柱とを備えた架台本体と、
前記測定装置の構成部品を取り付ける平板状の部品取付部材と、
前記部品取付部材を1本または２本の前記支柱の任意の箇所に着脱可能に固定する固定部材と
を具備することを特徴とする測定装置用架台を提供する。
【００１３】
本発明の測定装置用架台は、測定装置の構成部品を取り付ける部品取付部材と、この部品取付部材を1本または２本の支柱の任意の箇所に着脱可能に固定する固定部材とを有するので、支柱に固定する部品取付部材の高さや、部品取付部材を取り付ける支柱を変更することにより、測定装置の構成部品を任意の高さ・位置に取り付けることが可能であり、測定装置の使い勝手を良くすることができる。また、測定装置設置時に部品取付部材を任意の支柱に固定することができるため、発注段階で取付位置が確定していなくても、現場で臨機に対応することができ、屋内における測定装置設置状況に合わせて構成部品の取付位置を予め設計する必要がなくなる。
【００１４】
本発明において、部品取付部材は、架台本体の内側に測定装置の構成部品を取り付けることができるものであることが好ましく、これにより、架台本体の外側に測定装置の構成部品が出っ張ることを防止することができる。
【発明の効果】
【００１５】
本発明の測定装置用架台は、測定装置を屋内に設置する場合において、測定局舎の天井の高さや電源位置、周辺状況に関わりなく、測定装置の構成部品を任意の高さ・位置に取り付けることができる。
【図面の簡単な説明】
【００１６】
【図１】本発明に係る測定装置用架台の一例を用いた微小粒子状物質測定装置を示す概略正面図である。
【図２】図１の測定装置の概略側面図である。
【図３】図１の測定装置の概略斜視図である。
【図４】図１の測定装置の部品取付部材および固定部材を示す概略斜視図である。
【図５】従来の測定装置用架台を用いた微小粒子状物質測定装置を示す概略正面図である。
【図６】図５の測定装置の概略側面図である。
【発明を実施するための形態】
【００１７】
図１〜図３は、本発明に係る測定装置用架台の一例を用いた微小粒子状物質（ＰＭ２．５）測定装置を示すもので、図１は概略正面図、図２は概略側面図、図３は概略斜視図である。本例の装置は、架台の構成が異なる点を除けば、図５、図６の装置と同様であるため、図１〜図３において図５、図６と同一構成の部分には、同一の参照符号を付してその説明を省略する。
【００１８】
本例の測定装置用架台１００は、平面形状が四角形の金属製底部１０２と、平面形状が底部１０２と同形状またはコ字形の金属製天部１０４と、底部１０２の角部と天部１０４の角部との間に垂直に配設された４本の金属製支柱１０６とを備えた架台本体１０８を有する。また、本例の測定装置用架台１００は、測定装置の構成部品を取り付ける部品取付部材１１０と、上記部品取付部材１１０を任意の支柱１０６の任意の高さ位置に着脱可能に固定する固定部材１１２とを具備する。
【００１９】
本例の架台１００の支柱１０６としては、図４に示すように、幅方向両端部が内側に折り返された断面略コ字状のチャンネル形鋼が使用されている。支柱１０６は、底部１０２および天部１０４にボルト止めや溶接などの適宜手段で固定されている。また、部品取付部材１１０としては、構成部品取付用のボルト孔１１０ａが設けられた四角形の金属製平板が使用されている。部品取付部材１１０は、架台本体１０８の内側に測定装置の構成部品を取り付けることができるものである。さらに、固定部材１１２としては、支柱１０６の内側に配置された金属製板ナット１１２ａと、上記板ナット１１２ａに螺合される金属製ボルト１１２ｂにより構成されている。なお、板ナット１１２ａを支柱１０６内に仮止めするための板バネなどの部材を支柱１０６内に配置してもよい。
【００２０】
本例では、従来と同様に、架台本体１０８の上部に四角形状の箱形ラック２８が固定され、この箱形ラック２８に分析部３０が配置されている。ただし、分析部３０は、部品取付部材１１０によって架台１００に取り付けてもよい。また、適当な支柱１０６の適当な高さ位置に、３つの部品取付部材１１０が固定部材１１２によりそれぞれ固定され、これら３つの部品取付部材１１０に、それぞれ記録計２２、電源箱２４および外部端子板２６が取り付けられている。なお、測定局舎の天井４９の高さ、厚さによっては、ＰＭ２．５分粒器４４を局舎内（天井４９より下方）に配置することもあり得る。
【００２１】
本例の測定装置は、記録計２２、電源箱２４、外部端子板２６を、分析部３０の高さに合わせて適当な任意の高さ位置に配置することができるため、測定局舎の天井４９の高さに関係なく、使い勝手がよくなる。また、本例の測定装置は、測定局舎の状況に合わせて、記録計２２、電源箱２４、外部端子板２６を適当な支柱１０６に取り付けることができるため、構成部品の取付位置の自由度が高く、設置状況に合わせた種々の設計が必要なくなる。したがって、本例の測定装置によれば、設置場所の状況が発注時とは異なっていたり、発注ミスがあったりしても、測定装置の設置時に、記録計２２、電源箱２４、外部端子板２６の取付位置を自由に現場で臨機に対応することも可能となり、種々の現地条件に合わせるための作業効率が大幅に改善される。また、部品取付部材１１０は、平板に穴あけ加工をしただけのものでよいので、加工が容易であり、コストを抑えることができる。
【００２２】
本発明において、部品取付部材の構造・形状に限定はなく、測定装置の構成部品を取り付けることができるものであれば、どのような構造・形状であってもよい。また、固定部材の構造・形状にも限定はなく、部品取付部材を支柱の任意の箇所に着脱可能に固定できるものであれば、どのような構造・形状あってもよい。さらに、支柱の構造・形状も適宜選択することができる。
【符号の説明】
【００２３】
２０  ポンプユニット
２２  記録計
２４  電源箱
２６  外部端子板
３０  分析部
３２  試料採取機構
３４  試料採取管
３６  試料大気入口
３８  ＰＭ１０インレット
４０  ドレントラップ
４２  温度計
４４  ＰＭ２．５分粒器
４６  屋根土台
４８  屋根
４９  天井
１００  測定装置用架台
１０２  底部
１０４  天部
１０６  支柱
１０８  架台本体
１１０  部品取付部材
１１２  固定部材
【図１】
0005838843.tif 000002
【図２】
0005838843.tif 000003
【図３】
0005838843.tif 000004
【図４】
0005838843.tif 000005
【図５】
0005838843.tif 000006
【図６】
0005838843.tif 000007